(57)【要約】【課題】電飾部材６１の見栄えを向上させること。【解決手段】電飾ＬＥＤ４８のオン状態では電飾ＬＥＤ４８から板レンズ５４を通して電飾部材６１の外周面に拡散光が照射されることで電飾部材６１の溝部６２が発光する。しかも、板レンズ５４の内部を透過する光が板レンズ５４から出射することを前ミラー５２および後ミラー５３が防止し、板レンズ５４の出射面５６から出射した光が電飾部材６１の外周面に到達する前に漏れることを前ミラー５２の出射側光ガイド部６３および後ミラー５３の出射側光ガイド部６３が防止する。このため、電飾部材６１の溝部６２の輝度が高まるので、電飾部材６１の見栄えが向上する。【選択図】図５
2010273712.tif 000002
【特許請求の範囲】
【請求項１】
遊技球が発射される遊技盤と、
前記遊技盤に設けられ、遊技者側である前方から視覚的に認識することが可能なものであって光を透過することが可能な透光性の電飾部材と、
前記電飾部材の外周面に隙間を介して対向するものであって、前記電飾部材の外周面に向けて光を投射する光源と、
前記電飾部材の外周面および前記光源相互間に設けられ、前記光源側に次の１）入射面を有すると共に前記電飾部材側に次の２）出射面を有する板状の拡散レンズと、
１）前記光源から投射された光が入射するように前記光源に対向配置された入射面
２）前記電飾部材の外周面に向けて光を拡散して出射するように前記電飾部材の外周面に対向配置された凸状の出射面
前記電飾部材の一部分に設けられ、前記光源から前記拡散レンズの出射面および前記電飾部材の外周面のそれぞれを通して前記電飾部材の内部に光が入射することで前記電飾部材の残りの部分とは視覚的に異なる状態に発光する発光部と、
前記拡散レンズに設けられ、前記拡散レンズの前面を前方から覆うものであって前記拡散レンズの内部を透過する光が前記拡散レンズの前面から出射することを防止する不透光性の前レンズカバーと、
前記拡散レンズに設けられ、前記拡散レンズの後面を後方から覆うものであって前記拡散レンズの内部を透過する光が前記拡散レンズの後面から出射することを防止する不透光性の後レンズカバーと、
前記前レンズカバーに設けられ、前記拡散レンズの出射面から前記電飾部材側へ突出するものであって前記拡散レンズの出射面から出射した光が前記電飾部材の外周面に到達する前に前方へ漏れることを防止する不透光性の出射側前カバーと、
前記後レンズカバーに設けられ、前記拡散レンズの出射面から前記電飾部材側へ突出するものであって前記拡散レンズの出射面から出射した光が前記電飾部材の外周面に到達する前に後方へ漏れることを防止する不透光性の出射側後カバーを備えたことを特徴とするパチンコ遊技機。
【請求項２】
前記前レンズカバーに設けられ、前記拡散レンズの入射面から前記光源側へ突出するものであって前記光源から投射された光が前記拡散レンズの入射面に到達する前に前方へ漏れることを防止する不透光性の入射側前カバーと、
前記後レンズカバーに設けられ、前記拡散レンズの入射面から前記光源側へ突出するものであって前記光源から投射された光が前記拡散レンズの入射面に到達する前に後方へ漏れることを防止する不透光性の入射側後カバーを備えたことを特徴とする請求項１に記載のパチンコ遊技機。
【発明の詳細な説明】
【技術分野】
【０００１】
本発明は光源から光が投射されることで発光する電飾部材を備えたパチンコ遊技機に関する。
【背景技術】
【０００２】
特許文献１には透明板に溝状の発光部を形成し、光源から発光部に向けて光を投射することが記載されている。この透明板は遊技者が前方から視覚的に認識することが可能なものであり、光源から発光部に向けて投射された光は発光部の内面で乱反射することで発光部を発光させる。
【先行技術文献】
【特許文献】
【０００３】
【特許文献１】特開２００３−１５４０９０号公報
【発明の概要】
【発明が解決しようとする課題】
【０００４】
特許文献１の場合には光源が透明板の外周面に近接配置されている。このため、透明板のうち光源に近接する部分が点状に発光するので、見栄えが悪くなる。
【課題を解決するための手段】
【０００５】
１．請求項１記載のパチンコ遊技機の説明
請求項１記載のパチンコ遊技機は次の［１］遊技盤〜［９］出射側後カバーを備えたところに特徴を有する。
［１］遊技盤は遊技球が発射されるものであり、図３の符号１８は遊技盤に相当する。
［２］電飾部材は遊技盤に設けられたものである。この電飾部材は遊技者側である前方から視覚的に認識することが可能なものであり、光を透過することが可能な透光性を有している。図５の符号６１は電飾部材に相当する。
［３］光源は電飾部材の外周面に隙間を介して対向するものであり、電飾部材の外周面に向けて光を投射する。図５の電飾ＬＥＤ４８は光源に相当する。
［４］拡散レンズは電飾部材の外周面および光源相互間に設けられたものであり、光源側に１）光源から投射された光が入射するように光源に対向配置された入射面を有すると共に電飾部材側に２）電飾部材の外周面に向けて光を拡散して出射するように電飾部材の外周面に対向配置された凸状の出射面を有する板状をなしている。図５の板レンズ５４は拡散レンズに相当し、図５の符号５５は入射面に相当し、図５の符号５６は出射面に相当する。
［５］発光部は電飾部材の一部分に設けられたものである。この発光部は光源から拡散レンズの出射面および電飾部材の外周面のそれぞれを通して電飾部材の内部に光が入射することで電飾部材の残りの部分とは視覚的に異なる状態に発光するものであり、図５の溝部６２は発光部に相当する。
［６］前レンズカバーは拡散レンズに設けられたものである。この前レンズカバーは拡散レンズの前面を前方から覆うものであり、拡散レンズの内部を透過する光が拡散レンズの前面から出射することを防止する不透光性を有している。図５の前ミラー５２は前レンズカバーに相当する。
［７］後レンズカバーは拡散レンズに設けられたものである。この後レンズカバーは拡散レンズの後面を後方から覆うものであり、拡散レンズの内部を透過する光が拡散レンズの後面から出射することを防止する不透光性を有している。図５の後ミラー５３は後レンズカバーに相当する。
［８］出射側前カバーは前レンズカバーに設けられたものである。この出射側前カバーは拡散レンズの出射面から電飾部材側へ突出するものであり、拡散レンズの出射面から出射した光が電飾部材の外周面に到達する前に前方へ漏れることを防止する不透光性を有している。図５の前ミラー５２の出射側光ガイド部６３は出射側前カバーに相当し、図６の前ミラー５２の出射側光ガイド部７１も出射側前カバーに相当する。
［９］出射側後カバーは後レンズカバーに設けられたものである。この出射側後カバーは拡散レンズの出射面から電飾部材側へ突出するものであり、拡散レンズの出射面から出射した光が電飾部材の外周面に到達する前に後方へ漏れることを防止する不透光性を有している。図５の後ミラー５３の出射側光ガイド部６３は出射側後カバーに相当し、図６の後ミラー５３の出射側光ガイド部７１も出射側後カバーに相当する。
２．請求項２記載のパチンコ遊技機の説明
請求項２記載のパチンコ遊技機は［１］遊技盤〜［９］出射側後カバーに加えて次の［１０］入射側前カバーおよび［１１］入射側後カバーを備えたところに特徴を有する。
［１０］入射側前カバーは前レンズカバーに設けられたものである。この入射側前カバーは拡散レンズの入射面から光源側へ突出するものであり、光源から投射された光が拡散レンズの入射面に到達する前に前方へ漏れることを防止する不透光性を有している。図５の前ミラー５２の入射側光ガイド部５８は入射側前カバーに相当する。
［１１］入射側後カバーは後レンズカバーに設けられたものである。この入射側後カバーは拡散レンズの入射面から光源側へ突出するものであり、光源から投射された光が拡散レンズの入射面に到達する前に後方へ漏れることを防止する不透光性を有している。図５の後ミラー５３の入射側光ガイド部５８は入射側後カバーに相当する。
【発明の効果】
【０００６】
１．請求項１記載のパチンコ遊技機について
光源の電気的なオン状態では光源から拡散レンズを通して電飾部材の外周面に拡散光が照射されることで電飾部材の発光部が発光する。このため、電飾部材が発光部以外で点状に発光することがなくなるので、電飾部材の見栄えが向上する。しかも、拡散レンズの内部を透過する光が拡散レンズの前面から出射することを前レンズカバーが防止すると共に拡散レンズの後面から出射することを後レンズカバーが防止し、拡散レンズの出射面から出射した光が電飾部材の外周面に到達する前に前方へ漏れることを出射側前カバーが防止すると共に後方へ漏れることを出射側後カバーが防止するので、光源から電飾部材の外周面に照射される光量が前レンズカバーと後レンズカバーと出射側前カバーと出射側後カバーのそれぞれが存在しない場合に比べて増加する。このため、電飾部材の発光部の輝度が高まるので、電飾部材の見栄えが向上する。
２．請求項２記載のパチンコ遊技機について
光源から投射された光が拡散レンズの入射面に到達する前に前方へ漏れることを入射側前カバーが防止し、光源から投射された光が拡散レンズの入射面に到達する前に後方へ漏れることを入射側後カバーが防止するので、光源から拡散レンズの入射面に入射する光量が入射側前カバーおよび入射側後カバーのそれぞれが存在しない場合に比べて増加する。このため、電飾部材の発光部の輝度が高まるので、電飾部材の見栄えが向上する。
【図面の簡単な説明】
【０００７】
【図１】実施例１を示す図（パチンコ遊技機の外観を前方から示す図）
【図２】内枠の外観を斜め前方から示す図
【図３】パチンコ遊技機の外観を前枠の除去状態で前方から示す図
【図４】電気的な構成を示す図
【図５】（ａ）は電飾ＬＥＤと光ガイドと電飾部材を前方から示す図、（ｂ）はＸ線に沿う断面図
【図６】実施例２を示す図５相当図
【発明を実施するための形態】
【０００８】
【実施例１】
【０００９】
外枠１は、図１に示すように、複数の木材を前面および後面のそれぞれが開口する四角筒状に相互に接合することから構成されたものであり、外枠１の前方には、図２に示すように、内枠２が上下方向へ指向する軸３を中心に回動可能に装着されている。この内枠２は縦長な四角環状をなすものであり、左板部と右板部と上板部と下板部を有している。この内枠２は外枠１の前端面に前方から接触する閉鎖状態および外枠１の前端面から前方へ離間する開放状態相互間で軸３を中心に回動操作されるものであり、内枠ロック機構を介して閉鎖状態にロックされている。この内枠２の下端部には台板部４が形成されている。この台板部４は垂直な板状をなすものであり、内枠２の下端部を閉鎖している。
【００１０】
内枠２には、図１に示すように、内枠２の前方に位置して前枠５が装着されている。この前枠５は内枠２の前面を閉鎖する閉鎖状態および内枠２の前面を開放する開放状態相互間で内枠２と共通の軸３を中心に回動操作されるものであり、前枠ロック機構を介して閉鎖状態にロックされている。この前枠５には円形状の貫通孔６が形成されており、貫通孔６の内周面には透明な窓７が固定されている。この前枠５には前枠５の前方に位置して上皿８が固定されている。この上皿８は上面が開口する容器状をなすものであり、内枠２の台板部４には、図２に示すように、上皿８の後方に位置して払出口９が形成されている。この払出口９は遊技球を上皿８内に賞品として払出すものであり、払出口９から上皿８内に払出された遊技球は上皿８内に貯留される。
【００１１】
内枠２には、図１に示すように、上皿８の下方に位置して下皿板１０が固定されており、下皿板１０には下皿１１が固定されている。この下皿１１は上皿８内から溢れた遊技球を貯留するものであり、上面が開口する容器状をなしている。この下皿板１０には下皿１１の右方に位置してハンドル台１２が固定されており、ハンドル台１２にはハンドル１３が前後方向へ指向する軸１４を中心に回動可能に装着されている。このハンドル１３は遊技者が右の手指で予め決められた発射停止位置から図１の時計回り方向へ回動操作するものであり、ハンドル１３が発射停止位置から時計回り方向へ回動操作された状態では発射ソレノイド１５に駆動電源が印加されることで発射ソレノイド１５が電気的なオン状態になる。この発射ソレノイド１５はロータリーソレノイドからなるものであり、図３に示すように、内枠２の台板部４に固定されている。この発射ソレノイド１５の出力軸には打球槌が連結されており、発射ソレノイド１５は電気的なオン状態で打球槌を待機位置および打球位置相互間で往復的に移動操作する。
【００１２】
内枠２の台板部４には、図３に示すように、発射レール１６が固定されている。この発射レール１６は打球槌が打球位置から待機位置に向けて移動開始することに連動して上皿８内から１個の遊技球が移送されるものであり、右から左に向けて上昇する傾斜状をなしている。この発射レール１６の右端部には球止め板１７が形成されており、球止め板１７には遊技球が通過することが不能な大きさの貫通孔が形成されている。この球止め板１７は上皿８内から発射レール１６に移送された遊技球が発射レール１６の右端部から転落することを防止するものであり、打球槌は待機位置から打球位置に移動することで球止め板１７が転落不能に支持する遊技球を球止め板１７の貫通孔を通して右から左に向けて叩き、発射レール１６に沿って右から左に向けて転動させる。
【００１３】
内枠２には、図３に示すように、台板部４の上方に位置して遊技盤１８が固定されている。この遊技盤１８は垂直な板状をなすものであり、遊技盤１８には遊技盤１８の前方に位置して内レール１９と外レール２０と球止めゴム２１のそれぞれが固定されている。内レール１９は上面が開口する円弧状の金属板から構成されたものであり、外レール２０は内レール１９の外周部に配置された円弧状の金属板から構成されたものであり、球止めゴム２１は内レール１９の右端部および外レール２０右端部相互間の隙間を塞ぐゴムから構成されている。これら内レール１９および外レール２０相互間には発射通路２２が形成されている。この発射通路２２は下端部および上端部のそれぞれが開口する円弧状をなすものであり、発射レール１６の左端部から発射された遊技球は発射通路２２の下端部を通って発射通路２２内に進入する。この遊技球は発射通路２２に沿って円弧状の軌跡を描きながら上昇し、発射通路２２の上端部から放出される。
【００１４】
遊技盤１８には、図３に示すように、発射通路２２の右方に隣接して遊技領域２３が形成されている。この遊技領域２３は内レール１９と外レール２０と球止めゴム２１で囲まれた領域のうち発射通路２２を除く残りの円形状の領域を称するものであり、発射通路２２の上端部から放出された遊技球が転動することが可能な最大範囲に相当する。この遊技盤１８の遊技領域２３は前枠５の閉鎖状態で前枠５の窓７が前方から対向するものであり、前枠５の閉鎖状態で前方から窓７を通して視覚的に認識可能にされている。この遊技盤１８の遊技領域２３内には複数の障害釘が固定されており、発射通路２２の出口から遊技領域２３内に放出された遊技球は障害釘に当りながら遊技領域２３内を落下する。
【００１５】
遊技盤１８には、図３に示すように、遊技領域２３内に位置して始動口２４が固定されている。この始動口２４は遊技盤１８の遊技領域２３内を転動する遊技球が入賞することが可能なものであり、上面が開口するポケット状をなしている。この始動口２４内には始動口センサ２５（図４参照）が固定されており、遊技球が始動口２４内に入賞した場合には始動口センサ２５が遊技球を検出して始動信号を出力する。遊技盤１８には、図３に示すように、特別入賞口２６が固定されている。この特別入賞口２６は前面が開口する箱状をなすものであり、特別入賞口２６には扉２７が左右方向へ指向する軸２８を中心に回動可能に装着されている。この扉２７は特別入賞口ソレノイド２９（図４参照）の出力軸に連結されており、特別入賞口ソレノイド２９の電気的なオフ状態で垂直な閉鎖状態になることで特別入賞口２６の前面を遊技球が入賞不能に閉鎖する。この扉２７は特別入賞口ソレノイド２９の電気的なオン状態で前方へ水平に倒れた開放状態に回動するものであり、扉２７の開放状態では遊技盤１８の遊技領域２３内を転動する遊技球が扉２７に乗って特別入賞口２６内に入賞することが許容される。この特別入賞口２６内にはカウントセンサ３０（図４参照）が固定されており、遊技球が特別入賞口２６内に入賞した場合にはカウントセンサ３０が遊技球を検出してカウント信号を出力する。
【００１６】
内枠２には、図２に示すように、遊技盤１８より後方に位置して賞球タンク３１および賞球ケース３２のそれぞれが固定されている。賞球タンク３１は遊技球を貯留するものであり、上面が開口する容器状をなしている。賞球ケース３２は上下方向へ指向する通路状をなすものであり、賞球ケース３２の上端部は賞球タンク３１内に接続されている。この賞球ケース３２は賞球タンク３１内から遊技球が上端部を通して供給されるものであり、賞球ケース３２内には賞球払出装置が固定されている。この賞球払出装置は払出モータ３３（図４参照）を駆動源として賞球ケース３２内の遊技球を賞球ケース３２の下端部から落下させるものである。この賞球ケース３２の下端部は内枠２の払出口９に接続されており、賞球ケース３２の下端部から落下した遊技球は払出口９を通して上皿８内に賞品として払出される。
【００１７】
遊技盤１８には、図３に示すように、遊技領域２３内に位置して装飾枠３４が固定されている。この装飾枠３４は遊技盤１８の開口部内に嵌合されたものであり、前面および後面のそれぞれが開口する筒状をなしている。この装飾枠３４には装飾枠３４を取囲むフランジ３５が形成されている。この装飾枠３４は前方からフランジ３５を通して遊技盤１８に複数のネジを螺合することで固定されたものであり、装飾枠３４には液晶表示器からなる図柄表示器３６が固定されている。この図柄表示器３６は遊技盤１８より後方に配置されたものであり、図柄表示器３６の表示内容は前方から前枠５の窓７および装飾枠３４の前面のそれぞれを通して視覚的に認識可能にされている。
【００１８】
図４のメイン制御回路３７と払出制御回路３８と表示制御回路３９のそれぞれはマイクロコンピュータを主体に構成されたものである。メイン制御回路３７は始動口センサ２５から始動信号が出力されたか否かを判断し、カウントセンサ３０からカウント信号が出力されたか否かを判断するものであり、始動口センサ２５から始動信号が出力されたと判断した場合およびカウントセンサ３０からカウント信号が出力されたと判断した場合のそれぞれに賞球コマンドを払出制御回路３８に送信する。この払出制御回路３８はメイン制御回路３７から賞球コマンドが送信されたか否かを判断するものであり、メイン制御回路３７から賞球コマンドが送信されたと判断した場合には賞球払出装置の払出モータ３３を駆動することで上皿８内に遊技球を賞品として払出す。
【００１９】
メイン制御回路３７は始動口センサ２５から始動信号が出力されたと判断した場合に大当りカウンタの現在の値を検出するものである。この大当りカウンタの値はメイン制御回路３７が一定時間（例えば４ｍｓｅｃ）が経過する毎に単位値（例えば「１」）だけ更新するものであり、大当りカウンタの値は予め決められた下限値（例えば「０」）を基準に予め決められた上限値（例えば「１００」）まで加算された後に下限値に戻して循環的に加算される。メイン制御回路３７は大当りカウンタの値を検出した場合に大当りカウンタの値の検出結果を予め決められた大当り値（例えば「７」）と比較し、大当りカウンタの値の検出結果が大当り値と同一である場合に大当りであると判定し、大当りカウンタの値の検出結果が大当り値と相違している場合に外れであると判定するものであり、大当りであると判定した場合には表示制御回路３９に大当りコマンドを送信し、外れであると判定した場合には表示制御回路３９に外れコマンドを送信する。
【００２０】
表示制御回路３９はメイン制御回路３７から大当りコマンドおよび外れコマンドのそれぞれが送信されたか否かを判断するものであり、メイン制御回路３７から大当りコマンドが送信されたと判断した場合には３列の図柄要素を大当りの組合せに設定し、メイン制御回路３７から外れコマンドが送信されたと判断した場合には３列の図柄要素を外れの組合せに設定する。この３列の図柄要素は左列の図柄要素と中列の図柄要素と右列の図柄要素の組合せからなるものであり、大当りの組合せとは左列の図柄要素と中列の図柄要素と右列の図柄要素のそれぞれが相互に同一な組合せを称し、外れの組合せとは左列の図柄要素と中列の図柄要素と右列の図柄要素のそれぞれが相互に同一ではない組合せを称する。
【００２１】
表示制御回路３９は３列の図柄要素の組合せを設定した場合に図柄遊技の映像を図柄表示器３６に表示するものである。この図柄遊技の映像は図柄表示器３６に左列の図柄要素と中列の図柄要素と右列の図柄要素のそれぞれを可変状態および可変停止状態で順に表示するものであり、左列の図柄要素〜右列の図柄要素のそれぞれの可変表示は８種類の図柄要素「１」「２」「３」「４」「５」「６」「７」「８」を予め決められた順序「１」→「２」→「３」→「４」→「５」→「６」→「７」→「８」→「１」・・・で循環的に変化させることで行われる。この図柄遊技の映像では左列の図柄要素が１番目に可変停止し、右列の図柄要素が２番目に可変停止し、中列の図柄要素が３番目に可変停止する。これら左列の図柄要素〜中列の図柄要素のそれぞれの停止表示は３列の図柄要素が組合せの設定結果となるように行われるものであり、メイン制御回路３７が外れであると判定した場合には最終の中列の図柄要素が可変停止した時点で図柄表示器３６に３列の図柄要素が外れの組合せで表示され、メイン制御回路３７が大当りであると判定した場合には最終の中列の図柄要素が可変停止した時点で図柄表示器３６に３列の図柄要素が大当りの組合せで表示される。
【００２２】
メイン制御回路３７は大当りであると判定した場合に特別入賞口ソレノイド２９に駆動電源を印加することで特別入賞口ソレノイド２９を電気的なオン状態にするものである。この特別入賞口ソレノイド２９はメイン制御回路３７が大当りであると判定した場合に図柄表示器３６に３列の図柄要素が大当りの組合せで停止表示された後に電気的なオン状態にされるものであり、特別入賞口２６は図柄表示器３６に図柄遊技の映像で３列の図柄要素が大当りの組合せで停止表示された場合に開放され、図柄表示器３６に図柄遊技の映像で３列の図柄要素が外れの組合せで停止表示された場合に開放されない。
【００２３】
装飾枠３４には、図３に示すように、図柄表示器３６より上方に位置して垂直な化粧板４０が固定されており、化粧板４０には、図５に示すように、ベースプレート４１が固定されている。このベースプレート４１は円環状をなすものであり、ベースプレート４１の外周部には外ガイド４２が形成されている。この外ガイド４２はベースプレート４１から前方へ突出する円筒状をなすものであり、外ガイド４２には座部４３が形成されている。この座部４３は外ガイド４２からベースプレート４１の中心部に向けて突出する台形状をなすものであり、座部４３の先端部には平面状の基板セット面４４が形成されている。
【００２４】
ベースプレート４１には、図５に示すように、複数本の基板押え４５が形成されている。これら複数本の基板押え４５のそれぞれはベースプレート４１から前方へ突出する円柱状をなすものであり、複数本の基板押え４５のうちの２本は座部４３を挟んで円周方向に相互に対向配置されている。ベースプレート４１にはフレキシブル基板４６が固定されている。このフレキシブル基板４６は弾性変形可能な合成樹脂製のシートに導電性の電源パターンを印刷してなるものであり、複数本の基板押え４５のそれぞれはフレキシブル基板４６を外ガイド４２との間で挟持することで固定し、フレキシブル基板４６を座部４３のセット面４４に押付けている。
【００２５】
フレキシブル基板４６には、図５に示すように、ＬＥＤ搭載部４７が形成されている。このＬＥＤ搭載部４７はフレキシブル基板４６のうち座部４３のセット面４４に押付けられた部分を称するものであり、セット面４４に押付けられることでセット面４４に面接触した平面状に弾性変形している。このフレキシブル基板４６にはＬＥＤ搭載部４７に位置して電飾ＬＥＤ４８が搭載されている。この電飾ＬＥＤ４８は２本のリード端子４９を有するものであり、両リード端子４９のそれぞれはフレキシブル基板４６のＬＥＤ搭載部４７でフレキシブル基板４６の電源パターンに電気的および機械的に接続されている。この電飾ＬＥＤ４８は円形状のＬＥＤ素子および円形状の拡散レンズを有するものであり、ＬＥＤ素子はフレキシブル基板４６の電源パターンから両リード端子４９を通して電源が印加されることでベースプレート４１の中心部に向けて光を投射し、拡散レンズはＬＥＤ素子が投射した光を拡散する。
【００２６】
ベースプレート４１には、図５に示すように、複数のガイド台５０が形成されており、複数のガイド台５０のそれぞれには共通の光ガイド５１が固定されている。この光ガイド５１は前ミラー５２と後ミラー５３と板レンズ５４を相互に接合することから構成されたものである。板レンズ５４は無色透明な板状をなすものであり、板レンズ５４の前後方向の厚さ寸法は電飾ＬＥＤ４８の直径寸法に等しく設定されている。この板レンズ５４は前面および後面のそれぞれが電飾ＬＥＤ４８の外周面を延長してなる円筒面上に配置されたものであり、電飾ＬＥＤ４８は前方から見て電飾ＬＥＤ４８の軸心線が板レンズ５４の長さ方向の中心線ＣＬに重なるように配置されている。
【００２７】
板レンズ５４には、図５に示すように、入射面５５および出射面５６が形成されている。この板レンズ５４の入射面５５は電飾ＬＥＤ４８に直接的に対向する電飾ＬＥＤ４８側の一面を称するものである。この入射面５５は座部４３の基板セット面４４に対して平行な平面からなるものであり、電飾ＬＥＤ４８から投射された光は入射面５５を通して板レンズ５４の内部に入射する。この板レンズ５４の出射面５６は電飾ＬＥＤ４８と反対側の一面を称するものである。この出射面５６は板レンズ５４の中心線ＣＬで最も突出する円弧面に設定されたものであり、板レンズ５４の内部に入射した光は出射面５６を通して板レンズ５４の外部に出射することで拡散される。
【００２８】
前ミラー５２は、図５に示すように、板レンズ５４の前面の全体を前方から覆うものであり、後ミラー５３は板レンズ５４の後面の全体を後方から覆うものである。これら前ミラー５２および後ミラー５３のそれぞれは無色透明なガラスからなるものであり、前ミラー５２の後面の全体および後ミラー５３の前面の全体のそれぞれには不透光性の反射層５７が形成されている。これら両反射層５７のそれぞれはアルミニウムからなるものであり、前ミラー５２の反射層５７は電飾ＬＥＤ４８から投射された拡散光を板レンズ５４の内部に向けて反射することで電飾ＬＥＤ４８から投射された拡散光が板レンズ５４の前面から出射することを防止し、後ミラー５３の反射層５７は電飾ＬＥＤ４８から投射された拡散光を板レンズ５４の内部に向けて反射することで電飾ＬＥＤ４８から投射された拡散光が板レンズ５４の後面から出射することを防止する。
【００２９】
前ミラー５２および後ミラー５３のそれぞれには、図５に示すように、電飾ＬＥＤ４８側の一端部に位置して入射側光ガイド部５８が形成されている。前ミラー５２の入射側光ガイド部５８は前ミラー５２のうち板レンズ５４の入射面５５から電飾ＬＥＤ４８側へ突出する部分を称するものであり、電飾ＬＥＤ４８から投射された拡散光が板レンズ５４の入射面５５に到達する前に前方へ漏れないように電飾ＬＥＤ４８から投射された拡散光を反射層５７で反射する。後ミラー５３の入射側光ガイド部５８は後ミラー５３のうち板レンズ５４の入射面５５から電飾ＬＥＤ４８側へ突出する部分を称するものであり、電飾ＬＥＤ４８から投射された拡散光が板レンズ５４の入射面５５に到達する前に後方へ漏れないように電飾ＬＥＤ４８から投射された拡散光を反射層５７で反射する。
【００３０】
装飾枠３４には、図５に示すように、電飾モータ５９が固定されている。この電飾モータ５９は前後方向へ指向する回転軸６０を有するものであり、電飾モータ５９の回転軸６０には電飾部材６１が固定されている。この電飾部材６１はベースプレート４１と同心な円柱状をなすものであり、電飾モータ５９の電気的なオン状態では電飾モータ５９の回転軸６０が回転することで回転軸６０と一体的に回転する。この電飾部材６１の前後方向の厚さ寸法は板レンズ５４の前後方向の厚さ寸法に比べて大きく設定されており、電飾部材６１の前面は板レンズ５４の前面に比べて前方に配置され、電飾部材６１の後面は板レンズ５４の後面に比べて後方に配置されている。この電飾部材６１の外周面は板レンズ５４の出射面５６に直接的に対向しており、板レンズ５４の出射面５６から出射した拡散光は電飾部材６１の外周面に照射される。この電飾部材６１は無色透明なものであり、板レンズ５４の出射面５６から電飾部材６１の外周面に照射された拡散光は電飾部材６１の内部を透過する。
【００３１】
電飾部材６１には、図５に示すように、溝部６２が形成されている。この溝部６２は２本の線を相互に組合せてなる十字状の模様を形成するものであり、前面が開口している。この溝部６２の内面は電飾部材６１の前面と後面と外周面のそれぞれに比べて粗い粗面からなるものであり、電飾部材６１の内部に進入した拡散光は溝部６２の内面で乱反射することで溝部６２を電飾部材６１の残りの部分とは視覚的に異なる輝度で発光させる。
【００３２】
前ミラー５２および後ミラー５３のそれぞれには、図５に示すように、電飾部材６１側の一端部に位置して出射側光ガイド部６３が形成されている。前ミラー５２の出射側光ガイド部６３は前ミラー５２のうち板レンズ５４の出射面５６から電飾部材６１側へ突出する部分を称するものであり、板レンズ５４の出射面５６から出射した拡散光が電飾部材６１の外周面に到達する前に前方へ漏れないように板レンズ５４の出射面５６から出射した拡散光を反射層５７で反射する。後ミラー５３の出射側光ガイド部６３は後ミラー５３のうち板レンズ５４の出射面５６から電飾部材６１側へ突出する部分を称するものであり、板レンズ５４の出射面５６から出射した拡散光が電飾部材６１の外周面に到達する前に後方へ漏れないように板レンズ５４の出射面５６から出射した拡散光を反射層５７で反射する。これら両出射側光ガイド部６３のそれぞれは前方から見て電飾部材６１と同心な円弧面状をなすものであり、前ミラー５２の出射側光ガイド部６３および電飾部材６１の外周面相互間の間隔寸法は板レンズ５４の出射面５６および電飾部材６１の外周面相互間の最短の間隔寸法に比べて小さく設定され、後ミラー５３の出射側光ガイド部６３および電飾部材６１の外周面相互間の間隔寸法は板レンズ５４の出射面５６および電飾部材６１の外周面相互間の最短の間隔寸法に比べて小さく設定されている。
【００３３】
ベースプレート４１の内周部には、図５に示すように、内ガイド６４が形成されている。この内ガイド６４は外ガイド４２に対して同心な円筒状をなすものであり、電飾部材６１は内ガイド６４の内部に内ガイド６４から離間して収納されている。この内ガイド６４には切欠状の開口部６５が形成されている。この開口部６５内には前ミラー５２の出射側光ガイド部６３および後ミラー５３の出射側光ガイド部６３のそれぞれが挿入されており、板レンズ５４の出射面５６から出射した拡散光は開口部６５を通して電飾部材６１の外周面に照射される。外ガイド４２および内ガイド６４のそれぞれの前端部には、図３に示すように、共通のカバープレート６５が固定されている。このカバープレート６５は有色不透明なものであり、ベースプレート４１に前方から対向する円環状をなしている。このカバープレート６５はフレキシブル基板４６と電飾ＬＥＤ４８と光ガイド５１のそれぞれを前方から視覚的に認識不能に覆うものであり、電飾部材６１は前方からカバープレート６５の開口部を通して視覚的に認識可能に露出している。
【００３４】
表示制御回路３９には、図４に示すように、電飾ＬＥＤ４８および電飾モータ５９のそれぞれが接続されており、表示制御回路３９は電飾ＬＥＤ４８および電飾モータ５９のそれぞれを予め決められた演出開始タイミングで電気的なオン状態にすることで電飾ＬＥＤ４８から光ガイド５１を通して電飾部材６１の外周面に拡散光を投射し、電飾部材６１の溝部６２を電飾部材６１の回転状態で発光させる電飾演出を開始する。この演出開始タイミングは図柄遊技の映像で左列の図柄要素と中列図柄要素と右列の図柄要素のそれぞれが可変状態で表示開始された後から最終の中列の図柄要素が停止表示される前までの期間内で設定されたものであり、表示制御回路３９は電飾ＬＥＤ４８および電飾モータ５９のそれぞれを左列の図柄要素と中列図柄要素と右列の図柄要素のそれぞれが可変状態で表示開始された後から最終の中列の図柄要素が停止表示される前までの期間内の予め決められた演出停止タイミングで電気的なオフ状態にすることで電飾演出を停止する。
【００３５】
上記実施例１によれば次の効果を奏する。
電飾ＬＥＤ４８の電気的なオン状態では電飾ＬＥＤ４８から板レンズ５４を通して電飾部材６１の外周面に拡散光が照射されることで電飾部材６１の溝部６２が発光する。このため、電飾部材６１が溝部６２以外で点状に発光することがなくなるので、電飾部材６１の見栄えが向上する。しかも、板レンズ５４の内部を透過する光が板レンズ５４の前面から出射することを前ミラー５２が防止し、板レンズ５４の内部を透過する光が板レンズ５４の後面から出射することを後ミラー５３が防止し、板レンズ５４の出射面５６から出射した光が電飾部材６１の外周面に到達する前に前方へ漏れることを前ミラー５２の出射側光ガイド部６３が防止し、板レンズ５４の出射面５６から出射した光が電飾部材６１の外周面に到達する前に後方へ漏れることを後ミラー５３の出射側光ガイド部６３が防止するので、電飾ＬＥＤ４８から電飾部材６１の外周面に照射される光量が前ミラー５２と後ミラー５３と両出射側光ガイド部６３のそれぞれが存在しない場合に比べて増加する。このため、電飾部材６１の溝部６２の輝度が高まるので、電飾部材６１の見栄えが向上する。
【００３６】
電飾ＬＥＤ４８から投射された光が板レンズ５４の入射面５５に到達する前に前方へ漏れることを前ミラー５２の入射側光ガイド部５８が防止し、電飾ＬＥＤ４８から投射された光が板レンズ５４の入射面５５に到達する前に後方へ漏れることを後ミラー５３の入射側光ガイド部５８が防止するので、電飾ＬＥＤ４８から板レンズ５４の入射面５５に入射する光量が両入射側光ガイド部５８のそれぞれが存在しない場合に比べて増加する。このため、電飾部材６１の溝部６２の輝度が高まるので、電飾部材６１の見栄えが向上する。
【実施例２】
【００３７】
前ミラー５２および後ミラー５３のそれぞれには、図６に示すように、出射側光ガイド部６３に換えて出射側光ガイド部７１が形成されている。前ミラー５２の出射側光ガイド部７１は前ミラー５２のうち板レンズ５４の出射面５６から電飾部材６１側へ突出する部分を称するものである。この前ミラー５２の出射側光ガイド部７１は電飾部材６１の前面に前方から隙間を介して対向するものであり、板レンズ５４の出射面５６から出射した拡散光が電飾部材６１の外周面に到達する前に前方へ漏れないように板レンズ５４の出射面５６から出射した拡散光を反射層５７で反射する。後ミラー５３の出射側光ガイド部７１は後ミラー５３のうち板レンズ５４の出射面５６から電飾部材６１側へ突出する部分を称するものである。この後ミラー５３の出射側光ガイド部７１は電飾部材６１の後面に後方から隙間を介して対向するものであり、板レンズ５４の出射面５６から出射した拡散光が電飾部材６１の外周面に到達する前に後方へ漏れないように板レンズ５４の出射面５６から出射した拡散光を反射層５７で反射する。
【００３８】
上記実施例１および実施例２のそれぞれにおいては、前ミラー５２に換えて有色不透明な金属製または合成樹脂製の前レンズカバーを用い、後ミラー５３に換えて有色不透明な金属製または合成樹脂製の後レンズカバーを用いても良い。
【００３９】
上記実施例１および実施例２のそれぞれにおいては、電飾部材６１を静止状態に固定する構成としても良い。
上記実施例１および実施例２のそれぞれにおいては、板レンズ５４の左側面を左方から覆う左ミラーおよび板レンズ５４の右側面を右方から覆う右ミラーを設けても良い。これら左ミラーおよび右ミラーのそれぞれは反射層５７を有するものであり、左ミラーは板レンズ５４内を透過する拡散光を反射層５７で反射することで当該拡散光が板レンズ５４の左側面から出射することを防止し、右ミラーは板レンズ５４内を透過する拡散光を反射層５７で反射することで当該拡散光が板レンズ５４の右側面から出射することを防止する。
【符号の説明】
【００４０】
１８は遊技盤、４８は電飾ＬＥＤ（光源）、５２は前ミラー（前レンズカバー）、５３は後ミラー（後レンズカバー）、５４は板レンズ（拡散レンズ）、５５は入射面、５６は出射面、５８は入射側光ガイド部（入射側前カバー，入射側後カバー）、６１は電飾部材、６２は溝部（発光部）、６３は出射側光ガイド部（出射側前カバー，出射側後カバー）、７１は出射側光ガイド部（出射側前カバー，出射側後カバー）を示している。
【図１】
2010273712.tif 000003
【図２】
2010273712.tif 000004
【図３】
2010273712.tif 000005
【図４】
2010273712.tif 000006
【図５】
2010273712.tif 000007
【図６】
2010273712.tif 000008